(57)【要約】【課題】  複数の部署で問題なく使用することができるファクシミリ装置を提供する。【解決手段】  複数の回線を接続可能なファクシミリ装置において、回線毎の発信元印字情報を設定する操作表示手段４と、操作表示手段４を制御する制御手段２とを備えた。【選択図】  図１
2006165900.tif 000002
【特許請求の範囲】
【請求項１】
複数の回線を接続可能なファクシミリ装置において、所要の表示を行う操作表示手段と、制御手段とを備え、該制御手段は、通常設定時においては前記操作表示手段に回線種別と発信元印字情報を表示して、前記回線種別と発信元印字情報を選択させると共に、回線別設定時においては前記操作表示手段に前記発信元印字情報を表示して、前記発信元印字情報を選択させるように制御することを特徴とするファクシミリ装置。
【請求項２】
請求項１記載のファクシミリ装置において、少なくとも回線と発信元印字情報を対応付けたメモリマップを記憶した記憶手段を備え、前記制御手段は選択された回線と発信元印字情報、又は選択された発信元印字情報と前記メモリマップから決定した回線とに基づいてファクシミリ送信を行うこと特徴とするファクシミリ装置。
【請求項３】
請求項１記載のファクシミリ装置において、前記メモリマップの発信元印字情報にメールアドレスを対応付けて記憶させると共に、メール送信手段を備え、前記制御手段は、メール送信時に選択された前記発信元印字情報に対応したメールアドレスを発信元フィールドに設定することを特徴とするファクシミリ装置。
【発明の詳細な説明】
【技術分野】
【０００１】
本発明は、例えば複数の回線を接続可能なファクシミリ装置に関する。
【背景技術】
【０００２】
複数の回線を接続可能なファクシミリ装置において、１台のファクシミリ装置を複数の部署で利用したいというニーズがある。例えば、特許文献１には回線毎のファクシミリ利用状況を簡単に把握するための技術が提案されている。
【特許文献１】特開平１０−６５８９８号公報
【発明の開示】
【発明が解決しようとする課題】
【０００３】
しかしながら、特許文献１に開示されている技術では、相手先に送信された画像上端の発信元名称を使い分けることができないという問題がある。
そこで、本発明は上記したような点を鑑みて成されたものであり、複数の部署で問題なく使用することができるファクシミリ装置を提供することを目的とする。
【課題を解決するための手段】
【０００４】
上記目的を達成するため、請求項１記載の発明は、複数の回線を接続可能なファクシミリ装置において、所要の表示を行う操作表示手段と、制御手段とを備え、該制御手段は、通常設定時においては前記操作表示手段に回線種別と発信元印字情報を表示して、前記回線種別と発信元印字情報を選択させると共に、回線別設定時においては前記操作表示手段に前記発信元印字情報を表示して、前記発信元印字情報を選択させるように制御するファクシミリ装置を最も主要な特徴とする。
請求項２記載の発明は、請求項１記載のファクシミリ装置において、少なくとも回線と発信元印字情報を対応付けたメモリマップを記憶した記憶手段を備え、前記制御手段は選択された回線と発信元印字情報、又は選択された発信元印字情報と前記メモリマップから決定した回線とに基づいてファクシミリ送信を行うこと特徴とする。
請求項３記載の発明は、請求項１記載のファクシミリ装置において、前記メモリマップの発信元印字情報にメールアドレスを対応付けて記憶させると共に、メール送信手段を備え、前記制御手段は、メール送信時に選択された前記発信元印字情報に対応したメールアドレスを発信元フィールドに設定することを特徴とする。
【発明の効果】
【０００５】
本発明のファクシミリ装置によれば、相手先に送信した画像上端の発信元名称発信の使いわけが可能になるので、１台のファクシミリ装置を複数の部署で効率よく使用することができるようになる。
【発明を実施するための最良の形態】
【０００６】
以下、図面を参照して、本発明の実施形態を詳細に説明する。
図１は、本発明の実施形態に係るファクシミリ装置の構成を示した機能ブロック図である。この図１に示す本実施形態のファクシミリ装置は、スキャナ１、制御部２、プロッタ３、操作表示部４、不揮発メモリ５、メモリ６、画情報圧縮再生部（ＤＣＲ）７、ファクシミリ通信制御部（ＣＣＵ）８、ＬＡＮ制御部９を備える。制御部２は当該ファクシミリ装置全体の制御を司る。不揮発メモリ５は、発信元印字情報や画情報ファイルを記憶する。なお、不揮発性メモリ５の代わりにハードディスク等を用いてもよい。ＬＡＮ制御部９は、例えばＴＣＰ／ＩＰ、ＳＭＴＰ、ＰＯＰ３などにより通信プロトコルの制御を行う。またＭＩＭＥ形式のメールを作成する機能を備える。
図２は、本実施形態のファクシミリ装置における発信元印字情報のメモリマップ図、図３〜図５は操作表示部の表示例を示した図である。
この図２に示すように発信元印字情報、使用回線、及びメールアドレスは図示するように各ＩＤに対応付けて記憶されている。
図３は操作表示部における通常設定時の宛先入力画面を示した図であり、この場合の回線と発信元情報（発信元印字情報）は図示するようになる。
図４は操作表示部における回線別設定時の宛先入力画面を示した図であり、この場合の発信元情報（発信元印字情報）は図示するようになる。
図５は操作表示部におけるメールの宛先入力画面を示した図であり、この場合の発信元情報（発信元印字情報）は図示するようになる。
【０００７】
図６は、図１に示した本実施形態のファクシミリ装置の送信制御動作を示したフローチャートである。
この場合、先ず、宛先種別選択がファクシミリ装置かどうか判断する（Ｓ１）。宛先種別選択がファクシミリ装置だった場合は機器の送信設定モードが通常モードかどうか判断する（Ｓ２）。機器の送信設定モードが通常設定モードの場合（Ｓ２においてＹ）、図３に示すような画面を操作表示部４に表示して、ユーザに送信先と送信回線、発信元印字情報を選択させるようにする（Ｓ３）。そしてスタートキー１１が押下されたら、その設定内容を不揮発メモリ５に記憶してファクシミリ送信を行う（Ｓ６）。即ち、スキャナ１により原稿を読み取ると共に、画像上端に不揮発性メモリ５に記憶した発信元印字情報を書き込み、ＤＣＲ７で圧縮し、回線に対応したＣＣＵ８より送信を行うようにする。
一方、ステップＳ２において、機器の送信設定モードが通常モードでないと判断した場合は、回線別設定であるとして、図４に示すような画面を操作表示部４に表示して、ユーザに送信先と発信元印字情報を選択させるようにする（Ｓ４）。そして、スタートキー１１が押下されたら、選択された発信元印字情報に対応する回線種別を図２に示したメモリマップより選択して不揮発メモリ５に記憶した後、ファクシミリ送信を行う（Ｓ６）。即ち、上記したように、スキャナ１により原稿を読み取ると共に、画像上端に不揮発性メモリ５に記憶した発信元印字情報を書き込み、ＤＣＲ７で圧縮し、回線に対応したＣＣＵ８より送信を行うようにする。
また、ステップＳ１においてファクシミリ送信でないと判断した場合は、即ち宛先種別選択がメールだった場合は、図５に示すような画面を操作表示部４に表示して、ユーザにメールの送信先と発信元印字情報を選択させるようにする（Ｓ７）。そして、スタートキー１１が押されたら、その設定内容を不揮発メモリ５に記憶してメール送信を行う（Ｓ８）。即ち、この場合は図２に示したメモリマップより選択された発信元印字情報に対応するメールアドレスを取り出す。次にスキャナ１で原稿を読み取り、画像上端に記憶した発信元印字情報を書き込み、ＤＣＲ７で圧縮して取り出したメールアドレスをＦＲＯＭ（発信元）としてＬＡＮ制御部９よりメール送信を行うようにする。
【０００８】
このようにすれば、ファクシミリ送信やメール送信の場合においても１台のファクシミリ装置により発信元名称を使い分けることができる。さらに、本実施形態のファクシミリ装置においては、通常の送信モードか、または回線別の送信モード毎に、相手先に送信する画像上端の発信元名称発信の使いわけることができる。この結果、１台のファクシミリ装置を複数の部署で効率よく使用することができるようになる。
【図面の簡単な説明】
【０００９】
【図１】本発明の実施形態に係るファクシミリ装置の機能ブロック図。
【図２】発信元印字情報のメモリマップ図。
【図３】操作表示部における通常設定時の宛先入力画面を示す図。
【図４】操作表示部における回線別設定時の宛先入力画面を示す図。
【図５】操作表示部におけるメールの宛先入力画面を示す図。
【図６】図１に示すファクシミリ装置の送信制御動作を示すフローチャート。
【符号の説明】
【００１０】
１  スキャナ、２  制御部（制御手段）、３  プロッタ、４  操作表示部（操作表示手段）、５  不揮発メモリ、６  メモリ、７  画情報圧縮再生部（ＤＣＲ）、８  ファクシミリ通信制御部（ＣＣＵ）、９  ＬＡＮ制御部
【図１】
2006165900.tif 000003
【図２】
2006165900.tif 000004
【図３】
2006165900.tif 000005
【図４】
2006165900.tif 000006
【図５】
2006165900.tif 000007
【図６】
2006165900.tif 000008